(57)【要約】【課題】端末の紛失事故があっても、それに搭載されたコンテンツデータを第三者が勝手な取り出すのを有効に排除し得るセキュリティの高い閲覧端末等を提供する。【解決手段】コンテンツデータを受信する受信部３７と、受信したコンテンツデータを格納する揮発性メモリ３６と、この揮発性メモリ３６に格納したコンテンツデータを表示するメモリ性を有する表示装置３２と、前記揮発性メモリ３６と表示装置３２とに電力を供給する２次電池３８とを有する。【選択図】図１
2009217251.tif 000002
【特許請求の範囲】
【請求項１】
コンテンツデータを受信する受信部と、受信したコンテンツデータを格納する揮発性メモリと、前記揮発性メモリに格納したコンテンツデータを表示するメモリ性を有する表示装置と、前記揮発性メモリと前記表示装置とに電力を供給する２次電池とを有することを特徴とする閲覧端末。
【請求項２】
非画面更新時は前記揮発性メモリを前記２次電池に接続するとともに前記表示装置を前記２次電池から切断するスイッチを有することを特徴とする請求項１記載の閲覧端末。
【請求項３】
前記表示装置を制御する表示制御部を更に有し、前記表示制御部は所定のクロックに同期して画像を更新する閲覧端末であって、非画像更新時は前記表示制御部に供給されるクロックを停止するクロック停止手段を有することを特徴とする請求項１記載の閲覧端末。
【請求項４】
前記表示装置を制御する表示制御部を更に有し、非画像更新時は前記揮発性メモリを前記２次電池に接続するとともに、前記表示制御部及び前記表示端末を前記２次電池から切断するスイッチを有することを特徴とする請求項１記載の閲覧端末。
【請求項５】
前記閲覧端末は、前記２次電池の充電残量をモニターする手段を有し、前記２次電池の充電残量が一定残量以下になった場合には、前記揮発性メモリにリセット信号を印加して揮発性メモリのデータを消去することを特徴とする請求項１記載の閲覧端末。
【請求項６】
前記閲覧端末は、主電源スイッチを有し、前記主電源スイッチがオフした際に、前記揮発メモリに所定の終了画面データを書き込み、前記表示装置で前記所定の終了画面データを表示すると共に、前記揮発性メモリに電力を供給し続けることを特徴とする請求項５記載の閲覧端末。
【請求項７】
前記閲覧端末は、前記２次電池の充電残量をモニターする手段を有し、前記２次電池の充電残量が一定残量以下になった場合には、前記揮発性メモリに所定の終了画面データを書き込み、前記表示装置で前記所定の終了画面データを表示することを特徴とする請求項１記載の閲覧端末。
【請求項８】
前記閲覧端末はＭＰＵをさらに持ち、前記揮発性メモリに書き込む終了画面データは、前記ＭＰＵから発生させることを特徴とする請求項７記載の閲覧端末。
【請求項９】
前記閲覧端末は不揮発性メモリをさらに持ち、前記揮発性メモリに書き込む終了画面データは、前記不揮発性メモリに格納された終了画面データを用いることを特徴とする請求項７記載の閲覧端末。
【請求項１０】
前記閲覧端末は、前記２次電池の充電残量をモニターする手段を有し、前記２次電池の充電残量が一定残量以下になった場合には、前記表示装置に白又は黒画面を表示するための電圧をかけることで、前記表示装置の表示画面を消去することを特徴とする請求項１記載の閲覧端末。
【請求項１１】
コンテンツデータを受信する受信部と、受信したコンテンツデータを格納する揮発性メモリと、前記揮発性メモリに格納したコンテンツデータを表示するメモリ性を有する表示装置と、前記揮発性メモリと前記表示装置とに電力を供給する２次電池と、前記表示装置を制御する表示制御部を有する閲覧端末の動作方法であって、
非画像更新時には、前記表示制御部及び前記表示端末への電源供給を行わないと共に、前記揮発性メモリへの電源供給は行うステップを有することを特徴とする閲覧端末の動作方法。
【請求項１２】
コンテンツデータを受信する受信部と、受信したコンテンツデータを格納する揮発性メモリと、前記揮発性メモリに格納したコンテンツデータを表示するメモリ性を有する表示装置と、前記揮発性メモリと前記表示装置とに電力を供給する２次電池と、前記表示装置を制御する表示制御部を有する閲覧端末の動作方法であって、
非画像更新時には、前記表示制御部に供給されるクロックを停止するステップを有することを特徴とする閲覧端末の動作方法。
【請求項１３】
配信端末と閲覧端末とを有する端末間通信システムであって、前記配信端末は配信元から送られてくるコンテンツデータを記憶する記憶部と、前記コンテンツデータを送信する送信部と、前記閲覧端末を充電する充電部とを有し、前記閲覧端末は前記送信部から送信された前記コンテンツデータを受信する受信部と、受信したコンテンツデータを格納する揮発性メモリと、前記揮発性メモリに格納したコンテンツデータを表示するメモリ性を有する表示装置と、前記揮発性メモリと前記表示装置とに電力を供給する２次電池とを有することを特徴とする端末間通信システム。
【請求項１４】
前記閲覧端末は、主電源スイッチを有し、前記主電源スイッチがオフした際に、前記揮発性メモリに所定の終了画面データを書き込み、前記表示装置で前記所定の終了画面データを表示すると共に、前記揮発性メモリに電力を供給し続けることを特徴とする請求項１３記載の端末間通信システム。
【請求項１５】
前記閲覧端末への充電量を計測する計測器と、前記計測器の計測した充電量に基づいて課金額を決定する課金額決定手段とを有することを特徴とする請求項１３記載の端末間通信システム。
【請求項１６】
前記閲覧端末は、前記２次電池の充電残量をモニターする手段を有し、前記２次電池の充電残量が一定残量以下になった場合には、前記揮発性メモリに所定の終了画面データを書き込み、前記表示装置で前記所定の終了画面データを強制表示することを特徴とする請求項１３記載の端末間通信システム。
【請求項１７】
前記閲覧端末はＭＰＵをさらに持ち、前記揮発性メモリに書き込む終了画面データは、前記ＭＰＵから発生させることを特徴とする請求項１６記載の端末間通信システム。
【請求項１８】
前記閲覧端末は不揮発性メモリをさらに持ち、前記揮発性メモリに書き込む終了画面データは、前記不揮発性メモリに格納された終了画面データを用いることを特徴とする請求項１６記載の端末間通信システム。
【請求項１９】
前記閲覧端末は、前記２次電池の充電残量をモニターする手段を有し、前記２次電池の充電残量が一定残量以下になった場合には、前記表示装置に白又は黒画面を表示するための電圧をかけることで、前記表示装置の表示画面を消去することを特徴とする請求項１４記載の端末間通信システム。
【請求項２０】
コンテンツデータを格納するサーバと、通信回線を通じて前記サーバからコンテンツデータの配信を受ける配信端末と、閲覧端末とを有するコンテンツデータ送受信システムであって、
前記配信端末は前記サーバから送られてくるコンテンツデータを記憶する記憶部と、前記コンテンツデータを送信する送信部と、前記閲覧端末を充電する充電部とを有し、前記閲覧端末は前記送信部から送信された前記コンテンツデータを受信する受信部と、受信したコンテンツデータを格納する揮発性メモリと、前記揮発性メモリに格納されたコンテンツデータを表示するメモリ性を有する表示装置と、前記揮発性メモリと前記表示装置とに電力を供給する２次電池とを有することを特徴とするコンテンツデータ送受信システム。
【請求項２１】
前記閲覧端末は、前記２次電池の充電残量をモニターする手段を有し、前記２次電池の充電残量が一定残量以下になった場合には、前記表示装置に白又は黒画面を表示するための電圧をかけることで、前記表示装置の表示画面を消去することを特徴とする請求項２０記載のコンテンツデータ送受信システム。
【請求項２２】
前記閲覧端末は、前記２次電池の充電残量をモニターする手段を有し、前記２次電池の充電残量が一定残量以下になった場合には、前記揮発性メモリに所定の終了画面データを書き込み、前記表示装置で前記所定の終了画面データを強制表示することを特徴とする請求項２０記載のコンテンツデータ送受信システム。
【請求項２３】
前記閲覧端末は、前記２次電池の充電残量をモニターする手段を有し、前記２次電池の充電残量が一定残量以下になった場合には、前記揮発性メモリにリセット信号を印加して揮発性メモリのデータを消去することを特徴とする請求項２０記載のコンテンツデータ送受信システム。
【請求項２４】
前記閲覧端末は、主電源スイッチを有し、前記主電源スイッチがオフした際に、前記揮発性メモリに所定の終了画面データを書き込み、前記表示装置で前記所定の終了画面データを表示すると共に、前記揮発性メモリに電力を供給し続けることを特徴とする請求項２３記載のコンテンツデータ送受信システム。
【請求項２５】
前記閲覧端末はＭＰＵをさらに持ち、前記揮発性メモリに書き込む終了画面データは、前記ＭＰＵから発生させることを特徴とする請求項３０記載のコンテンツデータ送受信システム。
【請求項２６】
前記閲覧端末は不揮発性メモリをさらに持ち、前記揮発性メモリに書き込む終了画面データは、前記不揮発性メモリに格納された終了画面データを用いることを特徴とする請求項２４記載のコンテンツデータ送受信システム。
【請求項２７】
認証IDを格納する記憶素子と、前記認証IDとコンテンツ閲覧端末のもつ認証IDとを照合する認証ID照合部と、この認証ID照合部の照合結果を受けて前記認証IDが認証された場合に前記コンテンツ閲覧端末を充電する充電部とを有することを特徴とする充電用端末。
【発明の詳細な説明】
【技術分野】
【０００１】
本発明は、閲覧端末、充電用端末、およびこれらを利用したシステムに係り、特に、コンテンツデータの不正使用を有効に抑制してなる閲覧端末、充電用端末、およびこれらを利用した通信システム、送受信システムに関する。
【背景技術】
【０００２】
サーバから自動配信された最新の新聞コンテンツ等、例えば随時更新されるニュースを、ＰＣ（パーソナルコンピュータ）を立ち上げたりしなくても、スタンド（充電器）に差し込むだけで読むことのできる、紙にかわる閲覧端末が、近時にあっては、社会的要請として求められている。
【０００３】
例えば、Amazon社の書籍ビューワーKindleは、米E Ink 社製の高解像度の電子ペーパーを用いたディスプレイを搭載し、インターネットを利用したコンテンツサーバへの無線接続機能を備えており、パソコンを介さずに、直接オンラインの書籍やブログ，新聞，雑誌をダウンロードしていつでも読むことができる。
このため、雑誌や新聞，ブログなどに購読登録をしていれば、自動的にコンテンツ配信を受け取れる構成となっている。そして、このような閲覧端末の一例が特許第３０９９７３６号（特許文献１）に開示されている。
【０００４】
この端末装置は、ＬＣＤ等の表示手段と、頁めくりキー等の幾種類かのキーを備えた入力手段と、ＥＥＰＲＯＭ等の不揮発性メモリで構成された記憶手段と、ＲＡＭ等の揮発性メモリで構成されて主記憶と、データ等の送受信手段と、電力を供給する２次電池を有している。情報サーバから取得したデータは、不揮発性の記憶手段に記憶されるようになっている。
【０００５】
このような閲覧端末と充電装置を用いた送受信システムの一例が特許第３６１０２６０号に（特許文献２）開示されている。このシステムは、データ受信回路をもった充電装置と、２次電池とデータストレージを内蔵する携帯情報端末からなり、充電器で２次電池が充電されると共に、情報がデータストレージに格納される例が開示されている。
【０００６】
また、上記システムを用いて閲覧端末の充電量及びコンテンツデータのダウンロード量に応じて課金を行うシステムが、特開平１１−６８９９４号公報（特許文献３）に開示されている。
【０００７】
このような情報端末システムの場合、サーバから取得したコンテンツを充電器等を介してＰＣにダウンロードし、不正に再配信を行うことが可能であることから、セキュリティ上の問題がある。また、充電量に応じた課金、コンテンツのダウンロードに応じた課金の２つの課金体系で課金処理を行うため、システムの処理が複雑化する。
【０００８】
上記、データの不正利用を防止するシステムの一例が特開２００８−５０４２号公報（特許文献４）に開示されている。この例では、携帯端末は電源が投入される度に、ＲＯＭ部に予め登録された認証情報（暗証番号）を認証サーバに送信して認証要求し、認証サーバから受信した認証結果を元に個人データ利用可否情報をＲＡＭ部に登録し、その可否情報に基づいてフラッシュメモリ等のストレージ部に登録された個人データの利用を制御する構成となっている。
【先行技術文献】
【特許文献】
【０００９】
【特許文献１】特許第３０９９７３６号
【特許文献２】特許第３６１０２６０号
【特許文献３】特開平１１−６８９９４号公報
【特許文献４】特開２００８−５０４２号公報
【発明の概要】
【発明が解決しようとする課題】
【００１０】
上述したように特許文献１，２で開示された閲覧端末やそれを用いた送受信システムでは、取得したコンテンツの不正な再配信等のセキュリティ上の問題がある。これらを抑制するために、特許文献４で開示された認証サーバによる個人の暗証番号の導入やコンテンツの暗号化が考えられる。しかし、携帯端末の紛失などした場合、特許文献１乃至４で開示された端末では、コンテンツ自体はフラッシュメモリなどのストレージに格納されており、ストレージを取り出して格納データを不正ダウンロードするなどして暗証番号や暗号化が破られる恐れがある。
【００１１】
また、暗号化などのためにコンテンツのフォーマットが特殊となり、汎用性を持ちにくい。更に、課金に関しても、特許文献４のように充電に応じた課金やダウンロード量に応じた課金が必要であり、システムが複雑化するという不都合がある。
【００１２】
ところで、本件発明者は、毎日配信される新聞コンテンツなどの閲覧端末としては、データの閲覧期間はせいぜい１日程度で十分であり、２０乃至３０枚程度の新聞データが閲覧できるだけの機能に絞った端末であればよく、セキュリティの面からは、一定時間経過後、コンテンツデータが端末から自動消去される方が好ましいことに着目した。
【００１３】
本発明は、端末機の紛失事故があっても、それに搭載されたコンテンツデータを第三者が勝手に取り出すのを有効に排除し得るセキュリティの高い閲覧端末、充電用端末、およびこれらを利用した通信システム、送受信システムを提供することを、その目的とする。
【課題を解決するための手段】
【００１４】
上記目的を達成するため、本発明にかかる閲覧端末は、コンテンツデータを受信する受信部と、受信したコンテンツデータを格納する揮発性メモリと、前記揮発性メモリに格納したコンテンツデータを表示するメモリ性を有する表示装置と、前記揮発性メモリと前記表示装置とに電力を供給する２次電池とを有することを特徴とする。
【００１５】
上記目的を達成するため、本発明にかかる端末間通信システムは、配信端末と閲覧端末とを有し、前記配信端末が、配信元から送られてくるコンテンツデータを記憶する記憶部と、前記コンテンツデータを送信する送信部と、前記閲覧端末を充電する充電部とを有すると共に、前記閲覧端末が、前記送信部から送信された前記コンテンツデータを受信する受信部と、受信したコンテンツデータを格納する揮発性メモリと、揮発性メモリに格納したコンテンツデータを表示するメモリ性を有する表示装置と、前記揮発性メモリおよび前記表示装置に電力を供給する２次電池とを有することを特徴とする。
【００１６】
上記目的を達成するため、本発明にかかるコンテンツデータ送受信システムは、コンテンツデータを格納するサーバと、通信回線を通じて前記サーバからコンテンツデータの配信を受ける配信端末と、当該配信端末に併設される閲覧端末とを有し、
前記配信端末は、配信元から送られてくるコンテンツデータを記憶する記憶部と、前記コンテンツデータを送信する送信部と、前記閲覧端末を充電する充電部とを有すると共に、前記閲覧端末は、前記送信部から送信された前記コンテンツデータを受信する受信部と、受信したコンテンツデータを格納する揮発性メモリと、揮発性メモリに格納したコンテンツデータを表示するメモリ性を有する表示装置と、前記揮発性メモリおよび前記表示装置に電力を供給する２次電池とを有することを特徴とする。
【発明の効果】
【００１７】
本発明は、導入されたデータが揮発性メモリに格納され且つ電力が２次電池で管理される構成としたので、コンテンツ閲覧端末を紛失したとしても例えば１日程度でデータが消去されることから、これによってデータのセキュリティを有効に高めることができる。
【図面の簡単な説明】
【００１８】
【図１】本発明の第１実施形態に係るコンテンツデータ用のデータ送受信システムの構成を示す概略構成図である。
【図２】図１に開示したデータ送受信システムの要部を成す端末間通信システムの回路構成を示すブロック図である。
【図３】図１中に開示した閲覧端末を示す回路構成図である。
【図４】図１の動作を示すフローチャートである。
【図５】図１の動作を示すフローチャートである。
【図６】本発明の第２実施形態に係るコンテンツデータ用のデータ送受信システムの構成を示す概略構成図である。
【図７】図６に開示したデータ送受信システムの要部を成す端末間通信システムの回路構成を示すブロック図である。
【図８】図６の動作を示すフローチャートである。
【図９】図１および図６に開示したサーバの構成例を示すブロック図である。
【図１０】本発明の第３の実施形態の動作を説明するフローチャートである。
【図１１】本発明の第３の実施形態の動作を説明するフローチャートである。
【発明を実施するための形態】
【００１９】
次に、本発明の実施の形態の例について図面を参照して詳細に説明する。
ここで、以下の実施形態においてコンテンツ閲覧端末で閲覧される閲覧コンテンツデータとしては、サーバやコンテンツ配信端末から受信しメモリに保持された新聞コンテンツ等の画面情報全体を示す。このような閲覧コンテンツデータ以外にこの閲覧コンテンツデータと関連するヘッドライン情報や各種メタデータを閲覧可能であるが、これらはヘッドライン情報やメタデータとして閲覧データコンテンツデータとは別に扱うものとする。
【００２０】
＜第１の実施形態＞
(1.1)最初に、コンテンツデータ送受信システムおよび端末間通信システムの基本構成を図１に基づいて説明する。
図１において、コンテンツデータ送受信システムは、基本的には、新聞コンテンツを配信するサーバ１１と、このサーバ１１からのコンテンツを受信し閲覧端末に配信するコンテンツ配信端末（以下、単に「配信端末」という）２と、この配信端末２から取得したコンテンツを閲覧するコンテンツ閲覧端末（以下、単に「閲覧端末」という）３とを備えて構成されている。ここで、上記配信端末２と閲覧端末３とにより端末間通信システム１２が構成され、この端末間通信システム１２と更に上位の前記サーバ１１等との間で、相互にデータ送受信を行うデータ送受信システムが構成されている。
【００２１】
配信端末２は、サーバ１からネットワーク４を介してコンテンツが配信され、コンテンツ記憶部（図示せず）にデータが格納される構成となっている。そして、実際の使用に際しては、ユーザは配信端末２に閲覧端末３を接続して閲覧端末３の充電を行うと共にコンテンツの選択を行い、充電量モニター画面６を見ながら必要な充電量分の所定の金額を支払い、コンテンツを閲覧端末３にアップロードする。
【００２２】
この場合、最大充電量は所定の使用期間が例えば１日程度に制限されており、アップロードしたコンテンツは、閲覧期間終了後、閲覧端末３の電力がなくなった時に、自動消去されるように構成されている。
このため、たとえ閲覧端末３を紛失した場合でも、コンテンツデータは閲覧端末３の電力がなくなり次第、自動的に消去される。このため、セキュリティ機能が高く、データの不正取得によるデータの再配信などの問題が発生しにくいシステムとなっている。
【００２３】
尚、金額の支払いは、図１ではコイン投入口７から行っているが、その他の形態、例えば各種の電子マネーを利用した形態、電子マネー情報が記載されたICチップを有し携帯電話等を近づける形態、或いは閲覧端末自体に電子マネー情報を有する形態等、様々な形態のものでも利用できるように構成されている。
【００２４】
ここで、図１の充電量モニター画面６は、充電中か充電完了かを示す単純な色表示のみを示す形態でもよいし、充電量をグラフや数字で示す形態でもよい。また、充電量モニター画面６は必須の構成ではなく、別の何らかの方法、例えば、閲覧端末３側の表示装置に充電完了を表示したり、音で充電完了を知らせたりする手法でもよい。
【００２５】
又、充電量は課金にも関連するために、何らかの計測器によってモニターされる事が好ましい。この充電量のモニターは、単純には電源部である２次電池の両端電圧を計測する事によりなされる。より好ましくは、クーロンカウンタＩＣもしくは更に高度な残量表示ＩＣによって、電荷の流れの測定と監視を行う構成としてもよい。
【００２６】
このように観測された２次電池の充電量は、閲覧端末の使用者が配信端末と独立して閲覧端末を利用している際に、２次電池の充電残量を示すことによって充電を促す場合にも使用可能である。
【００２７】
(1.2)端末間通信システムの具体的な構成
次に、本第１実施形態における端末間通信システムの具体的な構成を、図２に基づいて説明する。
この図２において、閲覧端末３は、メモリ性を持つ電子ペーパーによる表示装置３２と、複数の入力キーを備えた入力部３３と、前記表示装置３２の表示制御を行う表示制御部３４と、閲覧端末３の現在の状態を記憶するＥＥＰＲＯＭ等の不揮発性メモリ３５と、ＲＡＭ等の揮発性メモリで構成された主記憶部３６と、前述したコンテンツ配信端末２と無線等の伝送手段によってコンテンツデータの授受を行う閲覧側送受信部２７と、当該閲覧端末３内の各部へ電力を供給する電源としての２次電池３８とを備えて構成されている。
【００２８】
ここで、入力部３３は、キーでなくても良く、タッチセンサやタッチパネル等を入力部手段として用いてもよい。又、加速度センサを利用しその上下動を利用する等の手段によってもよい。
【００２９】
一方、配信端末２は、サーバや閲覧端末３とデータの送受信を行う配信側送受信部２３と、コンテンツを記憶するコンテンツ記憶部２１と、前述した閲覧端末３を充電するための充電部２２とを備えて構成されている。
【００３０】
前述した閲覧端末３は、データ格納用のストレージを有せず、送受信部３７から取り込まれたコンテンツデータは揮発性メモリによる主記憶部３６にのみ保存され、また、不揮発性メモリ３であるＥＥＰＲＯＭ３５には保存されない。また、小型・薄型の充電型２次電池３８のみを装備し、ＡＣプラグや乾電池格納領域も有しない。
【００３１】
以上、閲覧端末３は、コンテンツデータを不揮発性メモリ３５ではなく、揮発性メモリによる主記憶部３６に格納しており、電源を２次電池３８に限定しているため、２次電池３８の電力がなくなれば、データは自動消去され、閲覧端末３を紛失したとしても１日程度でデータが消去されるので、データの複製等の危険性が低く、かかる点においてデータのセキュリティが著しく高められる。
【００３２】
尚、閲覧端末３における２次電池３８の容量は、本実施形態では、所定の時間、例えばフル充電で閲覧端末３がデータを１日分のみ保持できるだけの容量に、容量制限されている。
また、例えば１ヵ月等の期間決めの契約をしている場合には、閲覧端末３が有線もしくは無線の手段によって配信端末２と接続された時点で、入力部３３からの信号を待つことなく、コンテンツのダウンロードと充電が開始される。この意味で、配信端末２には、入力手段は必須の要素ではない。
【００３３】
この閲覧端末３は、閲覧していない期間も揮発性メモリによる主記憶部３６にデータを保持している必要があるため、システムの低消費電力化が必要となる。
【００３４】
本発明にかかる発明者は、当該閲覧端末３に特徴的な上記要請に適うべく、低消費電力の揮発性メモリをデータ格納メモリである主記憶部３６として用い、閲覧していない時はでも表示制御部３４にかかる回路は非動作にしつつ、揮発性メモリに電力を与え続けることにより、低消費電力化と共にデータメモリの保持が可能な電力マネジメントシステムを案出した。
例えば、ＮＥＣエレクトロニクス社製の３２Ｍビット・モバイル用ＲＡＭ「μＰＤ４６３２３１２」は、データ保持時（スタンバイモード時）にはクロック供給を停止するため、データ保持時の消費電流が１０〔μＡ〕と小さい。
【００３５】
このような低消費電力対応のＲＡＭを用いた場合、データ保持時では１０〔μＡ〕の消費電流であるので、２〔Ｖ〕程度の電圧を与えられる場合、０．０２〔ｍＶ〕程度の消費電力しか消費しない。２次電池３８の容量が１０００〔ｍＡ〕・ｈ（３Ｖ）の電力であるとすれば、1000〔ｍＡ〕×３〔Ｖ〕／（0.02mW*60*60)＝４０時間程度は、データを保持できることになる。
そのため、電子ペーパーの画像更新以外の期間は、表示制御部系の回路に電力を与えなければ、画面更新時に表示制御部系回路が消費する電力を考えても、１日程度の期間はデータを保存できる計算となる。
【００３６】
図３に、前述した閲覧端末３の単独での動作時における特徴的な電力マネジメントの動作を説明する主要部の電気回路を示す。
【００３７】
この閲覧端末３の主要部の電気用回路は、主に電力マネジメント用の信号を出すマイクロコントローラ（ＭＰＵ）301と、電源電流のオンオフを行うスイッチとしてのパワースイッチ302,303と、データ格納用の主記憶部３６である低消費電力ＲＡＭ304と、表示制御部３４を構成するグラフィックＬＳＩ（ＧＬＳＩ）305と、パネルを駆動するパネル電源、やドライバを含む表示回路307とにより構成されている。
【００３８】
ＭＰＵ301は超低消費電流のサブ発振子308でクロックを供給しており、ＲＡＭ304，グラフィックＬＳＩ305，および表示回路307は、クロックイネーブル付きメイン発振子309によって駆動される。
【００３９】
上記ＭＰＵ301に制御されたパワースイッチ302およびパワースイッチ303をオンすると、ＲＡＭ304，グラフィックＬＳＩ305，表示回路307に電圧が供給される。又、パワースイッチ302をオンし、パワースイッチ303をオフすると、ＲＡＭ304にのみ電圧が供給され、表示制御部３４を構成するグラフィックＬＳＩ305や表示回路307に電圧が供給されない。
【００４０】
さらに、前述した閲覧端末３の単独動作時の動作モードは、画像更新モード（画像更新時）と、スタンバイモード（非画像更新時）とに分かれている。それぞれのモードの動作について図４を用いて説明する。
【００４１】
〔閲覧端末の画像更新モード〕
図３において、入力手段（図示せず）からの入力信号により、閲覧端末３に画像更新命令が入力された場合（図４のステップＳ１）、ＭＰＵ301はメイン発振子309のクロックイネーブル信号312をオンする（図４のステップＳ２）と共に、パワースイッチ302,303をオンして（図４のステップＳ３）、各回路を動作モードにする。そして、入力手段（図示せず）により入力された画面データの番号（例えば新聞のページ番号や、記憶されたコンテンツに順に付与された番号等）をグラフィックＬＳＩ305に知らせる。
グラフィックＬＳＩ305は、ＲＡＭ304からその番号に対応する画面データを読み出し（図４のステップＳ４）、メモリ性を持つ電子ペーパペーパー等のメモリ性を有する表示装置３２の画面を更新する（図４のステップＳ５）。
【００４２】
〔閲覧端末のスタンバイモード〕
閲覧端末３はメモリ性を持つ電子ペーパー等のメモリ性を有する表示装置３２を用いているため、画像更新時以外の期間は、表示制御部３４であるグラフィックＬＳＩ305や表示回路307は動作する必要がない。このため、画像更新期間後はスタンバイモードに入る。
【００４３】
即ち、スタンバイモードでは、ＭＰＵ301はメイン発振子309のクロックイネーブル信号312をオフにしてメイン発振子309のクロックを止める（図４のステップＳ６）共に、パワースイッチ303のみオフにして（図４のステップＳ７）、グラフィックＬＳＩ305や表示回路307への電圧供給を停止させる。パワースイッチ302の信号はオンしているので、ＲＡＭ304にはクロックは供給されないが電圧は供給される状態となり、ＲＡＭはデータ保持用の超低消費電力モードとなる。
【００４４】
これにより、例えば、ＭＰＵ301 の消費電流が約１〔μＡ〕程度、ＲＡＭ304の消費電流が約１０〔μＡ〕程度となり、１０〜１１〔μＡ〕の超低消費電力状態で、ＲＡＭ304に格納されたコンテンツデータを保持しつつ画像番号入力待ちの状態となる。
ここで、本回路ではサブ振動子308とメイン振動子309とを分けたが、ＭＰＵ301からグラフィックＬＳＩ305等の各ＩＣにスタンバイ信号を出して、各ＩＣ内部でクロックを止めるようなクロック停止手段をＭＰＵ301が有するように構成してもよい。
【００４５】
以上のように、ディスプレイとして例えばメモリ性の電子ペーパーを用い、画像非更新モード時に揮発性メモリのみをスタンバイモードで動作させ、グラフィックＬＳＩや表示系回路は動作させないことで、格納されたコンテンツデータを破壊することなく、２次電池のみで１日程度のコンテンツデータ保持が可能な閲覧端末を実現することが可能となった。
【００４６】
(1.3)端末間通信システムの動作
次に、前述した端末間通信システムの閲覧端末３と配信端末２相互間の動作を、図５のフローチャートを用いて説明する。
【００４７】
まず、ユーザは閲覧端末３を配信端末２に装着する。
次に、配信端末２は、ヘッドライン情報を閲覧端末３に送信する。閲覧端末３はヘッドライン情報を受信する（図５：ステップＳ１０）。閲覧端末３は受信データを揮発性メモリに格納することなく表示部にヘッドライン情報を表示する（図５：ステップＳ１１）。
【００４８】
このとき、ヘッドライン情報の表示には、閲覧端末３側の揮発性メモリを使用せず、閲覧端末３の表示装置３２を電源もデータも閲覧端末３が直接駆動し表示装置３２の電力も配信端末２からの直接供給に依存しているので、データが閲覧端末３側に残ることはなく、コンテンツの漏洩の心配はない。
ユーザは、閲覧端末３又は配信端末２の入力手段を用いて必要なダウンロードを選択し（図５：ステップＳ１２）、購入を行う（図５：ステップＳ１３）。
【００４９】
次に、配信端末２は閲覧端末３に電力を供給すると共に、配信端末２の２次電池の充電を開始する（図５：ステップＳ１４）。次に、配信端末２は閲覧端末３へ向けてコンテンツを送信し、閲覧端末３はコンテンツを受信する（図５：ステップＳ１５）。揮発性メモリは、ＭＰＵ301により書き込み信号がオンされ、コンテンツデータが書き込まれる（図５：ステップＳ１６）。閲覧端末３の充電が終了し（図５：ステップＳ１７）、ユーザはコンテンツデータが格納された閲覧端末３を配信端末２から外す。その際、課金される（図５のステップＳ１８）。
【００５０】
尚、閲覧端末にオペレーティングシステム（ＯＳ）が必要な場合には、STEP５の充電開始後、STEP6のコンテンツの受信の前に、配信端末から閲覧端末を操作するためのオペレーティングシステムを送信するステップと、閲覧端末の主記憶（ＲＡＭ）に対してインストールするステップと、閲覧端末がオペレーティングを立ち上げるステップを、閲覧端末を配信端末から取り外す前に行ってもよい。このようにすることで、電力の消費の著しいＯＳの立ち上がりの際に、充電されていることで、２次電池の電力の消費を抑制することが可能となる。
【００５１】
(1.4)第１実施形態の効果
以上、閲覧端末３は、コンテンツデータを不揮発性メモリではなく揮発性メモリに格納しており、電源が２次電池に限定されているため、２次電池に蓄電されている電力がなくなれば、データは自動消去され、閲覧端末器を紛失したとしても１日程度でデータが消去されるので、データのセキュリティが高まる。又、閲覧端末３のディスプレイとしてメモリ性のある電子ペーパー等を用い、画像非更新モード時に揮発性メモリのみ動作（スタンバイモード、又はデータ保持モードで動作）させ、表示コントローラや表示系回路は動作させないことで、格納されたコンテンツデータを破壊することなく、２次電池のみで１日程度のコンテンツデータ保持が可能な閲覧端末３を実現することが可能となった。
【００５２】
＜第２の実施形態＞
(2.1)最初に、コンテンツデータ送受信システムおよび端末間通信システムの基本構成を図６に基づいて説明する。
この第２実施形態は、ユーザによっては閲覧端末の充電を家庭でも行いたいという要求や、閲覧端末のコンテンツを自分のＰＣ（パソコン）でダウンロードしたいという要求に適うシステムとして、考案したものである。
【００５３】
具体的には、図６の符号５１で示す公共設置環境のもとに構成されたシステムと、符号５２で示す家庭設置環境のもとに構成されたシステムの二系統のものをサーバ５０１に連結した点に特徴を有する。
【００５４】
この場合、公共設置環境５１におけるシステムは、前述した図１乃至図５に示したものと同等の配信端末２と閲覧端末３とを備えており、前述した第１実施形態の内容と同等の内容になっている。
これに対し、家庭設置環境５２におけるシステムは、以下に示すように、本第２実施形態における特徴的な内容となっている。
【００５５】
まず、図６において、公共設置環境５１にかかる部分のコンテンツデータ送受信システムは、基本的には、新聞コンテンツを配信するサーバ501と、このサーバ501からのコンテンツを受信するコンテンツ配信端末２と、このコンテンツ配信端末２から取得したコンテンツを閲覧する閲覧端末３とを備えて構成されている。具体的な内容とその動作およびその作用効果は前述した第１実施形態の場合と同一である。
【００５６】
一方、家庭設置環境５２にかかるコンテンツデータ送受信システムは、インターネットを介してサーバ501に接続されたＰＣ等の接続端末506と、この接続端末506に併設された充電用端末610と、この充電用端末610に併設された閲覧端末601とを有する。ここで、閲覧端末601およびサーバ501については、前述した第１実施形態のものと同一のものが使用されている。
【００５７】
前記充電用端末610は、例えば新聞社などと別途一定料金を払って契約したユーザに配布され、閲覧端末601の充電およびコンテンツのダウンロードが可能とする機能を備えている。同時にこの充電用端末610は、閲覧端末601への充電量を計測する充電量計測機能（充電量計測器としての機能）を備えている。
【００５８】
この場合、充電用端末610では、単純には閲覧端末601の２次電池の両端電圧を計測することにより充電量を計測するようにしている。一方、より好ましくは、クーロンカウンタＩＣ若しくは更に高度な残量表示ＩＣによって、電荷の流れの測定と監視を行うようにしてもよい。そして、充電用端末610はEEPROM614（記憶素子）に記憶された充電量と課金額のデータテーブルから充電用端末610上のＭＰＵ等（図示せず）にプログラムされた課金額決定手段（図示せず）により課金を行う構成となっている。
【００５９】
尚、上述した課金システムについては、閲覧端末601への充電量の情報を充電用端末610並びに接続端末506を介してサーバ501に送信することで、当該サーバ501内にて充電量に応じた課金システムが設定されるように構成してもよい。又、この課金システムについては、無制限に充電ができる課金システムを設定するように構成してもよい。
【００６０】
更に、この第２実施形態におけるシステムでは、認証ＩＤが閲覧端末601および充電装置610に登録されており、更に、ＰＣ等の接続端末506用に認証ＩＤがユーザに渡されており、充電・コンテンツのダウンロード及びＰＣ等の接続端末506での閲覧が、各認証ＩＤが同じ端末601,506の相互間でしか行うことはできないように構成した点に特徴を有する。
【００６１】
また、ユーザはサーバ501から認証ＩＤが登録されたＰＣ506に過去の新聞などのコンテンツデータをダウンロードすることが可能であり、充電用端末610を介して閲覧端末601へコンテンツデータのアップロードが可能である。
【００６２】
そして、充電を行う前に、充電用端末610と閲覧端末601との相互間に認証ＩＤ照合が行われるが、このようなステップを入れたことで、例えば家庭内の閉じたシステム間でしか、データのやり取りや端末への充電ができないため、不正な充電やデータのやり取りができにくく、セキュリティは必然的に高いものとなるという利点がある。
【００６３】
(2.2)端末間通信システムの構成
上記図６で示したコンテンツデータ用のデータ送受信システムを実現するための具体的な構成内容を、図７に示す。
【００６４】
この図７は、閲覧端末601と充電用端末610の相互間におけるデータ送受信についての端末間通信システムを示すもので、前記閲覧端末601は、メモリ性をもつ電子ペーパー等によるメモリ性を有する表示装置602と、複数の入力キーを備えた入力部603と、認証ＩＤが登録されたＥＥＰＲＯＭ等の不揮発性メモリ605と、ＲＡＭ等の揮発性メモリで構成された主記憶部606と、前記充電用端末610と無線等の伝送によってコンテンツデータの授受を行う閲覧側送受信部607と、端末内の各部へ電力を供給する２次電池608と、認証ＩＤ照合部609とを有している。
【００６５】
ここで、上述した閲覧端末601は、認証ＩＤ照合部609を除くと、前述した第１実施形態における閲覧端末３の具体的な各構成要素（図２，図３参照）をそっくりそのまま備えたものとなっている。
又、充電用端末610は、ＰＣや閲覧装置端末601とデータの送受信を行う送受信部611とコンテンツを記憶するコンテンツ記憶部612と、前記閲覧装置端末601を充電するための充電部613と認証ＩＤが登録されたＥＥＰＲＯＭ等の不揮発性メモリ614と、認証ＩＤ照合部615とからなる。
【００６６】
(2.3) 端末間通信システムの動作
次に、コンテンツ配信に関し、上記端末間通信システムにおける閲覧端末601と充電用端末610の相互間における動作を図８のフローチャートを用いて説明する。
【００６７】
ユーザは、閲覧端末601を充電用端末610に装着する。閲覧端末601は認証ＩＤを送受信部607を介して、充電用端末610に認証ＩＤを送信し、充電用端末610は認証ＩＤを受信する（図８（ａ）：ステップＳ２０）。充電用端末610は送られた認証ＩＤと自分に登録された認証ＩＤと比較する（図８（ａ）：ステップＳ２１）。認証ＩＤが一致した場合は充電やコンテンツダウンロード／アップロードが可能となる（図８（ａ）：ステップＳ２２，Ｓ２３）。この状態において、閲覧端末６０１と充電用端末６１０への充電が終了する（図８のステップＳ２４）。
【００６８】
一方、認証ＩＤが不一致である場合には、充電用端末610は閲覧端末601にＮＧ信号を送信し（図８（ｂ）：ステップＳ２５）、閲覧端末601 は揮発性メモリ（主記憶部）606の電圧をオフして当該揮発性メモリ606をリセットし、格納されたコンテンツデータを消去する（図８（ｂ）：ステップＳ２６）。同時に２次電池608 の放電を開始する。このため、不正な手段で充電データのダウンロードを行おうとすると、コンテンツデータが消去されるので、結果的にセキュリティが一層高められた状態が得られる。
【００６９】
尚、揮発性メモリ（主記憶部）606の電圧をオフする方法として、高電位側を低電位側にショートするためのスイッチを設けても良い。高電位と低電位をショートするスイッチは誤動作の場合に生じる悪影響が大きく、装置内の電気回路系の破壊に至る場合もあるため、次のような手段によってもよい。
【００７０】
例えば、本第２実施形態において、前述した図３の閲覧端末３に示すパワースイッチ302をオフし、パワースイッチ303をオンする。また、表示制御部３４であるグラフィックLSI305並びに表示回路307へのクロック供給が停止されている場合は、クロックイネーブル信号312を送信しクロックを供給する。
【００７１】
これにより揮発性メモリ304と表示制御部３４を結ぶ電圧線に保持されている電圧が瞬時に放電され、高電位側の電位が低くなり、揮発性メモリ304の内容が消去される。
一方、揮発性メモリの電圧をオフする代わりに、無意味なデータ信号、例えば、NULL信号の羅列を揮発性メモリ全体に書き込んでもよい。
【００７２】
(2.4) 上記第２実施形態の効果
以上のように充電を行う際に、充電用端末610と閲覧端末601の相互間に認証ＩＤ照合ステップを入れたことで、例えば家庭内の閉じたシステム間でしか、データのやり取りや端末への充電が不可能なため、不正な充電やデータのやり取りができにくく、セキュリティが高まる。
【００７３】
また、認証ＩＤが不照合の場合、閲覧端末601 は揮発性メモリ606への電圧供給を停止するか、もしくは、揮発性メモリ606に無意味なデータを書き込むと同時に、２次電池608の電力が放電され、揮発性メモリ606の動作が停止するので自分の揮発性メモリ606に格納されたコンテンツデータを消去する。このため、不正な手段で充電やデータの取得ができず、セキュリティが一層、高まる。
【００７４】
更に、課金システムについては、閲覧端末610への充電量のみで管理が可能であり、コンテンツのダウンロードと充電量の組み合わせによる複雑な課金システムをとる必要がなく、ユーザに使いやすくわかりやすい課金システムをとることが可能である。
【００７５】
上述した各実施形態１，２では、コンテンツデータ全てを閲覧端末の揮発性メモリに格納した場合を例示したが、情報の機密性の低いコンテンツデータ、又は情報の公開性の高いコンテンツデータ、例えばヘッドライン情報については、不揮発性メモリに保存することも可能である。これにより、データ配信端末に接続していない状態でも、購入したい記事の選択が可能となる。
この際、ヘッドライン情報は課金の有無や認証ＩＤと関係なく、データ配信端末２又は充電用端末610 に閲覧端末３（又は601）が装着されると、閲覧端末３（又は601）の画面に表示が行われる。
【００７６】
ここで、閲覧端末３（又は601）にコンテンツの購入履歴を記憶するための不揮発性メモリ備えた構成としても良い。購入履歴が保存されていると、購入履歴から再アップロードを希望するコンテンツを選択し、配信端末２に接続した時に再度アップロードする事が可能となる。この場合、コンテンツ配信メーカが決めたコンテンツの有効期限の情報を同時に有している事が好ましい。
【００７７】
この有効期限、例えば１週間、を越えての再アップロードは出来ないシステムとする事で、古い情報を配信端末２に保存する必要が無くなり配信端末２のメモリ容量が低減できる。同時に、古いコンテンツに対しコンテンツ配信メーカが新たな付加価値を与える事が可能となる。ここでの新たな付加価値とは、コンテンツに埋め込まれる広告情報を最新のものに更新し広告による収入を高めたり、古いコンテンツに対しては別の課金形態、例えば定額等の別料金での１年間等の期間限定の利用と可能としたりする事を示す。
【００７８】
又、サーバやデータ配信端末、充電用端末に格納されたデータは、記事の主題のみのヘッドライン情報と詳細記事の分野、通信社からの配信日時、記事のサイズや関連記事の記事番号がわかるようなメタデータが埋め込まれたり、コンテンツの表示効果を増すメタデータが埋め込まれたりしていることが好ましい。
例えば、メタデータにデータ提示方法・方向にも特徴をもたせる。例えば日本語や中国語の縦書き記事では、提示領域の右側から１文字の横幅分のブロックの幅（フォントが大きければ大きいブロック）で上から下、ついで一列左にずれて上から下と列ごとに順次表示する。
【００７９】
一方、横書き記事でもアラビア語の記事では、提示領域の上側から、１文字の縦幅分のブロックの幅（フォントが大きければ大きいブロック）で右から左、ついで一行下にずれて右から左と行ごとに順次表示する。他の横書きの言語は左上から行わせたりすることができる。
【００８０】
また、例えば新聞紙面内の写真の拡大の例を挙げると、
〔１〕ダイレクトに高解像度画像データ（別のページデータとして持っている）を表示、
〔２〕まず単純に元の低解像度データを縦横拡大して表示し、ついで高解像度データを提示、というような拡大方法の違いの効果をメタデータに埋め込むことも可能である。
【００８１】
また、閲覧端末３，601は、入力手段としてタッチパネルをもっていてもよく、その場合の入力データは揮発性メモリに記憶される。入力され記憶されたデータは母機（コンテンツ配信端末や充電用端末）に認証ID照合部を介してダウンロード可能とすることもできる。
更に、コンテンツ送受信システムにおいては、認証ID照合部を介してサーバ側に送信する事を可能とすることも出来る。このような手段を用いることで入力情報が保護されたセキュリティの高い電子カルテシステムも可能となる。
【００８２】
〔サーバの一例〕
図９に、上記各実施形態に開示したコンテンツ送受信システムで用いられるサーバ１１（５０１）の一例を示す。
この図９に示すサーバは、受信部８０１、送信部８０２、送信データベース（送信ＤＢ）８０３、ユーザ情報データベース（ユーザ情報ＤＢ）８０４等からなる。更に、配信管理部８０５、課金管理部８０６、認証管理部８０７、記憶制御部８０８等が必要に応じて設けられる。更には、元のコンテンツデータベースから、ヘッドライン情報やメタデータを生成するコンテンツ加工部８０９を有していても良い。
【００８３】
この図９に示すサーバは、配信端末等からの信号を受信部８０１で受信すると、端末が配信端末であるか接続端末であるかの端末タイプの判断を行い、端末から送信されてきた情報によっては課金依頼を課金管理部に即座に送信する。また、受信データを解析し、サーバのデータベースにユーザ側からアップロードされたコンテンツの場合は、記憶制御部８０８を介し、管理送信用コンテンツデータベースに記憶する。
【００８４】
一方、受信したデータが認証要求の場合、認証管理部８０７で認証ＩＤデータベースとの検証を行い、検証結果を配信管理部８０５に送信する。課金管理部８０６は、端末タイプの判断直後の課金依頼もしくは認証後の配信管理部８０５からの課金依頼に応じて課金データベースとの比較を行い、課金を管理する。
【００８５】
配信管理部８０５は、認証・課金を通じて配信許可を与えた場合に、管理送信用コンテンツデータベースからコンテンツデータを送信部８０２に送信する。ヘッドラインデータベース並びにメタデータデータベースの情報は、送信部８０２に常に送信されており、送信部８０２はデータを端末側に送信する。
【００８６】
以上のように、上記各実施形態におけるデータ送受信システムにあっては、閲覧端末のデータが揮発性メモリに格納され、この揮発性メモリの動作電力が２次電池のみで管理されているため、端末を紛失したとしても１日程度でデータが消去されるため、データのセキュリティが高まる。
【００８７】
また、閲覧端末のディスプレイとしてメモリ性の電子ペーパーを用い、画像非更新モード時に揮発性メモリのみ動作（スタンバイモード、又はデータ保持モードで）させ、表示コントローラや表示系回路は動作させないようにしたので、格納されたコンテンツデータを破壊することなく、２次電池のみで１日程度のコンテンツデータ保持が可能となる。
【００８８】
更に、充電用端末と閲覧端末との相互間の連携動作に際しては、認証ＩＤ照合ステップを入れたことで、不正な手段で充電やデータの取得ができず、セキュリティが一層、高まると同時に、充電量のみでの課金管理ができるので、ユーザに使い易く且つわかりやすい課金システムを構築することが可能である。
【００８９】
＜第３の実施形態＞
次に、本発明の第３の実施形態について説明する。閲覧端末の表示装置はメモリ性を有し、電力をかけなくても画面を表示し続けるものである。そのため、閲覧端末の電力がなくなったり、閲覧端末の主電源スイッチをオフしたりしても、最後に閲覧した画面が消去されず、画面の表示情報に秘密性がある場合には、セキュリティ上の問題が生じる。そのため、閲覧端末の電力がなくなったり、閲覧端末の主電源がオフしたりした場合には、表示画面を消去しつつ、確実に主記憶（揮発性メモリ）上のデータを消去する必要がある。
【００９０】
（3.1）閲覧端末の終了方法
第３の実施形態は、前述した実施形態１，２における閲覧端末の終了動作を制御する例であって、以下にその説明を行う。
【００９１】
閲覧端末は図２と同様の構成をもつが、２次電池に対して充電量をモニターする手段を有している。この充電量のモニター手段は、単純には２次電池の両端の電圧を計測し、設定された下限電圧を下回っていないかを監視する構成になっている。前記モニター手段は、より好ましくは、クーロンカウンタＩＣもしくは更に高度な残量表示ＩＣによって、監視を行う構成であってもよい。
【００９２】
次に、第３の実施形態における閲覧端末の終了方法を図１０、図１１のフローチャートを用いて説明する。
【００９３】
閲覧端末のＭＰＵは前記モニター手段として動作し、そのモニター手段は一定周期で２次電池の充電残量のモニターを行う(図１０のステップＳ３０)。その結果、前記モニター手段は、設定残量以上である場合には、前述のスタンバイモード(図１０のステップＳ３１)と画面更新モード(図１０のステップＳ３２)を繰り返しつつ、一定時間経過後、充電残量モニターステップ(図１０のステップＳ３０)に処理を遷移する。
【００９４】
前記モニター手段は、残量が設定残量以下である場合には、終了シーケンスに処理を遷移する。終了シーケンスでは、ＲＡＭ（主記憶である揮発性メモリ）の書き込み信号をオンする(図１０のステップＳ３３)。次に、主記憶部の一部であるフレームバッファー（メモリ性を有する表示装置が表示すべき更新画面データを格納するメモリ領域）に、終了画面データを書き込む(図１０のステップＳ３４)。終了画面データは単なる白画面でもよいし、電池切れ表示画面や無意味なランダムなデータでもよい。この終了画面データは、白画面や無意味なランダムデータの場合、ＭＰＵで自動生成しても良い。終了画面データが電池切れ表示画面の場合は、その画面データを格納する不揮発性メモリを有して、その不揮発性メモリからフレームバッファーにデータを転送してもよい。また、表示装置のデータドライバーがＭＰＵからの信号により強制的に白画面又は黒画面表示電圧（以下、白電圧・黒電圧）を出力することや表示装置の基準電位であるＣＯＭ電位を振ることで表示装置に白電圧や黒電圧をかけることで画面を消去してもよい。
【００９５】
次に閲覧端末のＭＰＵは表示装置の画面更新を行う(図１０のステップＳ３５)。次に閲覧端末のＭＰＵはＲＡＭのリセット信号をオンしたり、ＲＡＭへの電力供給を停止したりして、ＲＡＭ内のデータを消去して(図１０のステップＳ３６)、終了する。
【００９６】
これにより、２次電池の充電量が設定残量以下になった場合は、表示画面を消去しつつ、確実に主記憶部（揮発性メモリ）上のデータを消去することが可能となる。また、閲覧端末のユーザが主電源をオフした場合には、ＭＰＵは割り込みを発生させ、図１１のシーケンスに処理を遷移する。
【００９７】
まず、端末の主電源がオフされると、ＲＡＭの書き込み信号をオンして(図１１のステップＳ３７)、終了画面データを書き込む(図１１のステップＳ３８)。ここで、書き込む終了画面データは、充電残量が設定残量以下の場合と異なる画面、例えばユーザのお気に入りの画像やサービス提供メーカのロゴ等とすることができる。ユーザのお気に入りの画像の場合、揮発性メモリの特定の領域に保存しておき、終了時にフレームバッファーに転送してもよい。また、別途、不揮発性メモリを有し、その不揮発性メモリにお気に入りの画像やサービス提供メーカのロゴを格納し、終了時にフレームバッファーに転送してもよい。
図１０と図１１の終了画面データが異なることで、ユーザは正常に終了したのか、電池残量不足で終了したのかを知ることができる。
【００９８】
次に表示装置の画面更新を行う(図１１のステップＳ３９)。その後、閲覧端末はスタンバイモードに入り(図１１のＳ４０)、前記モニター手段は定期的に２次電池の充電残量モニターを行う。
【００９９】
端末の主電源がオンされた場合は、通常の電源オンシーケンスに復帰する。また、２次電池の充電残量が設定残量以下になると、終了シーケンスに移行する。
このように、端末の主電源スイッチがオフされた場合は、表示画面は消去するが、ＭＰＵ及び主記憶部の電力は供給され続けている。これは、端末の主電源スイッチをオンした時に、主記憶部上のデータが消去されずに、再度読み出すことを可能とするためである。
【０１００】
（3-2）効果
以上のような閲覧端末の終了シーケンスを取ることで、アップロードされたコンテンツは閲覧端末の２次電池の残量が設定残量以下になったときに、ＲＡＭなどの揮発性メモリで構成された主記憶部から自動消去され、かつメモリ性をもつ表示装置の画面を消去することが可能である。これにより、電力をかけなくても画面を表示しつづけるメモリ性表示装置による低消費電力の閲覧端末を実現しながら、閲覧端末に電力がなくなっても画面に秘密情報を表示し続けることを防ぎ、セキュリティが高まる。
また、端末の主電源をオフしても、表示画面は消去するが主記憶部のデータは残しておくことで、再度、端末の主電源をオンしても、配信端末や充電器に再び設置することなく、データの閲覧が可能となる。
【産業上の利用可能性】
【０１０１】
本発明によれば、端末の紛失事故があっても、それに記憶されたコンテンツデータを第三者が勝手に取り出すのを有効に排除し得るセキュリティを高めることができるものである。
【符号の説明】
【０１０２】
11，501  サーバ
２  コンテンツ配信端末（配信端末）
３，601  コンテンツ閲覧端末（閲覧端末）
５，33,  603  入力部
６  ２次電池充電量モニタ画面
21,612  コンテンツ記憶部
22,613  充電部
23,37,607,611  送受信部
32，602  メモリ性を有する表示装置
34,305,604  表示制御部
35,605  不揮発性メモリ（ROM）
36,304,606  揮発性メモリ（RAM）
38,608  ２次電池
301  クロック停止手段としての機能をも備えたＭＰＵ
302,303  スイッチとしてのパワースイッチ
610  充電用端末
【図１】
2009217251.tif 000003
【図２】
2009217251.tif 000004
【図３】
2009217251.tif 000005
【図４】
2009217251.tif 000006
【図５】
2009217251.tif 000007
【図６】
2009217251.tif 000008
【図７】
2009217251.tif 000009
【図８】
2009217251.tif 000010
【図９】
2009217251.tif 000011
【図１０】
2009217251.tif 000012
【図１１】
2009217251.tif 000013